(57)【要約】【課題】端末間直接通信で使用される無線リソースの割当の効率向上と、端末間直接通信で使用される無線リソースの設定におけるシグナリングの効率向上とを図る。【解決手段】基地局１で使用可能な無線リソースの中から、端末間直接通信に使用される端末間直接通信用無線リソースを割り当てる端末間直接通信制御部１１と、該割り当てられた端末間直接通信用無線リソースの情報を送信する無線部１０と、を備え、端末間直接通信制御部１１は、複数の端末で共用される端末共用リソースの割り当てを行い、端末間直接通信のサービス要求条件に基づいて端末に個別で使用される端末個別リソースの割り当てを行う。【選択図】図２
2015035711.tif 000002
【特許請求の範囲】
【請求項１】
無線基地局装置を介して無線端末装置間で通信可能な無線通信システムの前記無線基地局装置において、
前記無線基地局装置で使用可能な無線リソースの中から、前記無線端末装置間の直接通信に使用される端末間直接通信用無線リソースを割り当てる端末間直接通信制御部と、
前記端末間直接通信制御部によって割り当てられた前記端末間直接通信用無線リソースの情報を送信する無線部と、を備え、
前記端末間直接通信制御部は、複数の前記無線端末装置で共用される前記端末間直接通信用無線リソースである端末共用リソースの割り当てを行い、前記直接通信のサービス要求条件に基づいて前記無線端末装置に個別で使用される前記端末間直接通信用無線リソースである端末個別リソースの割り当てを行う、
ことを特徴とする無線基地局装置。
【請求項２】
前記無線部は、前記直接通信の要求元の前記無線端末装置から前記サービス要求条件を受信し、該受信された前記サービス要求条件に基づいて割り当てられた前記端末個別リソースの情報を該直接通信の要求元の前記無線端末装置へ送信することを特徴とする請求項１に記載の無線基地局装置。
【請求項３】
前記無線部は、前記無線端末装置から受信された前記直接通信の開始リクエストに対する端末間直接通信開始リクエスト応答メッセージを送信し、
前記端末間直接通信開始リクエスト応答メッセージは、前記直接通信の開始リクエストに対する応答信号と端末個別リソース情報を有し、
前記端末個別リソース情報は、前記端末個別リソースの割当の有無を示す情報と、該割当有りの場合の端末個別リソースの位置を示す情報とを有する、
ことを特徴とする請求項２に記載の無線基地局装置。
【請求項４】
無線基地局装置を介して無線端末装置間で通信可能な無線通信システムの前記無線端末装置において、
前記無線基地局装置で使用可能な無線リソースの中から割り当てられた前記無線端末装置間の直接通信に使用される端末間直接通信用無線リソースの情報を受信する無線部と、
前記無線部によって受信された前記端末間直接通信用無線リソースの情報で示される端末間直接通信用無線リソースを用いた前記直接通信の制御を行う端末間直接通信制御部と、を備え、
前記端末間直接通信制御部は、複数の前記無線端末装置で共用される前記端末間直接通信用無線リソースである端末共用リソース、又は、前記直接通信のサービス要求条件に基づいて割り当てられた前記無線端末装置に個別で使用される前記端末間直接通信用無線リソースである端末個別リソースのうち、自己の前記直接通信の条件に対応する前記端末間直接通信用無線リソースを用いた前記直接通信の制御を行う、
ことを特徴とする無線端末装置。
【請求項５】
前記無線部は、自己の前記直接通信の前記サービス要求条件を前記無線基地局装置へ送信し、該送信した前記サービス要求条件に基づいて割り当てられた前記端末個別リソースの情報を前記無線基地局装置から受信することを特徴とする請求項４に記載の無線端末装置。
【請求項６】
前記端末間直接通信制御部は、前記無線基地局装置との通信可能圏外に在る場合に、直近の所定期間内に前記無線基地局装置から通知された前記端末共用リソースを用いた前記直接通信の制御を行うことを特徴とする請求項４又は５のいずれか１項に記載の無線端末装置。
【請求項７】
請求項１に記載の無線基地局装置と、請求項４に記載の無線端末装置とを有する無線通信システム。
【請求項８】
無線基地局装置を介して無線端末装置間で通信可能な無線通信システムの前記無線基地局装置における端末間直接通信制御方法であって、
前記無線基地局装置が、前記無線基地局装置で使用可能な無線リソースの中から、前記無線端末装置間の直接通信に使用される端末間直接通信用無線リソースを割り当てる第１のステップと、
前記無線基地局装置が、前記割り当てられた前記端末間直接通信用無線リソースの情報を送信する第２のステップと、を含み、
前記第１のステップにおいて、複数の前記無線端末装置で共用される前記端末間直接通信用無線リソースである端末共用リソースの割り当てを行い、前記直接通信のサービス要求条件に基づいて前記無線端末装置に個別で使用される前記端末間直接通信用無線リソースである端末個別リソースの割り当てを行う、
ことを特徴とする端末間直接通信制御方法。
【請求項９】
無線基地局装置を介して無線端末装置間で通信可能な無線通信システムの前記無線端末装置における端末間直接通信制御方法であって、
前記無線端末装置が、前記無線基地局装置で使用可能な無線リソースの中から割り当てられた前記無線端末装置間の直接通信に使用される端末間直接通信用無線リソースの情報を受信する第１のステップと、
前記無線端末装置が、前記受信された前記端末間直接通信用無線リソースの情報で示される端末間直接通信用無線リソースを用いた前記直接通信の制御を行う第２のステップと、を含み、
前記第２のステップにおいて、複数の前記無線端末装置で共用される前記端末間直接通信用無線リソースである端末共用リソース、又は、前記直接通信のサービス要求条件に基づいて割り当てられた前記無線端末装置に個別で使用される前記端末間直接通信用無線リソースである端末個別リソースのうち、自己の前記直接通信の条件に対応する前記端末間直接通信用無線リソースを用いた前記直接通信の制御を行う、
ことを特徴とする端末間直接通信制御方法。
【請求項１０】
無線基地局装置を介して無線端末装置間で通信可能な無線通信システムの前記無線基地局装置のコンピュータに、
前記無線基地局装置で使用可能な無線リソースの中から、前記無線端末装置間の直接通信に使用される端末間直接通信用無線リソースを割り当てる第１のステップと、
前記割り当てられた前記端末間直接通信用無線リソースの情報を送信する第２のステップと、を実行させるためのコンピュータプログラムであり、
前記第１のステップにおいて、複数の前記無線端末装置で共用される前記端末間直接通信用無線リソースである端末共用リソースの割り当てを行い、前記直接通信のサービス要求条件に基づいて前記無線端末装置に個別で使用される前記端末間直接通信用無線リソースである端末個別リソースの割り当てを行う、
ことを特徴とするコンピュータプログラム。
【請求項１１】
無線基地局装置を介して無線端末装置間で通信可能な無線通信システムの前記無線端末装置のコンピュータに、
前記無線基地局装置で使用可能な無線リソースの中から割り当てられた前記無線端末装置間の直接通信に使用される端末間直接通信用無線リソースの情報を受信する第１のステップと、
前記受信された前記端末間直接通信用無線リソースの情報で示される端末間直接通信用無線リソースを用いた前記直接通信の制御を行う第２のステップと、を実行させるためのコンピュータプログラムであり、
前記第２のステップにおいて、複数の前記無線端末装置で共用される前記端末間直接通信用無線リソースである端末共用リソース、又は、前記直接通信のサービス要求条件に基づいて割り当てられた前記無線端末装置に個別で使用される前記端末間直接通信用無線リソースである端末個別リソースのうち、自己の前記直接通信の条件に対応する前記端末間直接通信用無線リソースを用いた前記直接通信の制御を行う、
ことを特徴とするコンピュータプログラム。
【発明の詳細な説明】
【技術分野】
【０００１】
本発明は、無線基地局装置、無線端末装置、無線通信システム、端末間直接通信制御方法およびコンピュータプログラムに関する。
【背景技術】
【０００２】
近年、基地局を介して端末間で通信可能なセルラーシステムにおいて、該端末間で直接通信（端末間直接通信）を行う技術が検討されている。例えば、３ＧＰＰ（3rd Generation Partnership Project）で標準化作業が進められているＬＴＥアドバンスト（LTE-Advanced）と呼ばれるＬＴＥ（Long Term Evolution）の後継のシステムにおいて、端末間直接通信が検討されている（例えば、非特許文献１参照）。端末間直接通信を実現するための機能として、端末が自己の端末間直接通信の相手となり得る端末を発見する機能である発見（Discovery）機能と、端末が通信相手の端末と端末間直接通信を行う機能である通信（Communication）機能とが検討されている。
【先行技術文献】
【非特許文献】
【０００３】
【非特許文献１】3GPP, Study on LTE Device to Device Proximity Services, RP122009, インターネット＜ＵＲＬ：http://www.3gpp.org＞
【非特許文献２】3GPP, TS23.203
【発明の概要】
【発明が解決しようとする課題】
【０００４】
端末間直接通信のDiscovery機能とCommunication機能では、それぞれに無線リソースが使用される。このため、基地局は、自己の使用可能な無線リソースの中から、Discovery機能とCommunication機能のために、無線リソースを割り当てる必要がある。この無線リソース割当方法として、複数の端末で共用される無線リソースを準静的に設定する準静的共用リソース割当方法と、端末個別の無線リソースを動的に設定する動的端末個別リソース割当方法とが考えられる。しかしながら、準静的共用リソース割当方法、動的端末個別リソース割当方法には、以下に示されるような課題がある。
【０００５】
準静的共用リソース割当方法では、複数の端末間直接通信において、それぞれ通信サービスの要求条件が異なる場合、要求条件の厳しい通信サービスに合わせて無線リソース割当を実施することが必要となる。すると、通信サービスの要求条件が厳しくない端末に対しては無線リソースの過剰な割当となる。
【０００６】
動的端末個別リソース割当方法では、端末個別に無線リソースの設定を行う必要がある。このため、該無線リソースの設定ごとにシグナリングが発生し、シグナリングのオーバーヘッドが大きくなりシグナリングの効率が悪くなる。これは、基地局を介した端末間通信に対する端末間直接通信のメリットが減少することになる。
【０００７】
本発明は、このような事情を考慮してなされたもので、端末間直接通信で使用される無線リソースの割当の効率向上と、端末間直接通信で使用される無線リソースの設定におけるシグナリングの効率向上とを図ることを課題とする。
【課題を解決するための手段】
【０００８】
（１）本発明に係る無線基地局装置は、無線基地局装置を介して無線端末装置間で通信可能な無線通信システムの前記無線基地局装置において、前記無線基地局装置で使用可能な無線リソースの中から、前記無線端末装置間の直接通信に使用される端末間直接通信用無線リソースを割り当てる端末間直接通信制御部と、前記端末間直接通信制御部によって割り当てられた前記端末間直接通信用無線リソースの情報を送信する無線部と、を備え、前記端末間直接通信制御部は、複数の前記無線端末装置で共用される前記端末間直接通信用無線リソースである端末共用リソースの割り当てを行い、前記直接通信のサービス要求条件に基づいて前記無線端末装置に個別で使用される前記端末間直接通信用無線リソースである端末個別リソースの割り当てを行う、ことを特徴とする。
【０００９】
（２）本発明に係る無線基地局装置においては、上記（１）の無線基地局装置において、前記無線部は、前記直接通信の要求元の前記無線端末装置から前記サービス要求条件を受信し、該受信された前記サービス要求条件に基づいて割り当てられた前記端末個別リソースの情報を該直接通信の要求元の前記無線端末装置へ送信することを特徴とする。
【００１０】
（３）本発明に係る無線基地局装置においては、上記（２）の無線基地局装置において、前記無線部は、前記無線端末装置から受信された前記直接通信の開始リクエストに対する端末間直接通信開始リクエスト応答メッセージを送信し、前記端末間直接通信開始リクエスト応答メッセージは、前記直接通信の開始リクエストに対する応答信号と端末個別リソース情報を有し、前記端末個別リソース情報は、前記端末個別リソースの割当の有無を示す情報と、該割当有りの場合の端末個別リソースの位置を示す情報とを有する、ことを特徴とする。
【００１１】
（４）本発明に係る無線端末装置は、無線基地局装置を介して無線端末装置間で通信可能な無線通信システムの前記無線端末装置において、前記無線基地局装置で使用可能な無線リソースの中から割り当てられた前記無線端末装置間の直接通信に使用される端末間直接通信用無線リソースの情報を受信する無線部と、前記無線部によって受信された前記端末間直接通信用無線リソースの情報で示される端末間直接通信用無線リソースを用いた前記直接通信の制御を行う端末間直接通信制御部と、を備え、前記端末間直接通信制御部は、複数の前記無線端末装置で共用される前記端末間直接通信用無線リソースである端末共用リソース、又は、前記直接通信のサービス要求条件に基づいて割り当てられた前記無線端末装置に個別で使用される前記端末間直接通信用無線リソースである端末個別リソースのうち、自己の前記直接通信の条件に対応する前記端末間直接通信用無線リソースを用いた前記直接通信の制御を行う、ことを特徴とする。
【００１２】
（５）本発明に係る無線端末装置においては、上記（４）の無線端末装置において、前記無線部は、自己の前記直接通信の前記サービス要求条件を前記無線基地局装置へ送信し、該送信した前記サービス要求条件に基づいて割り当てられた前記端末個別リソースの情報を前記無線基地局装置から受信することを特徴とする。
【００１３】
（６）本発明に係る無線端末装置においては、上記（４）又は（５）のいずれかの無線端末装置において、前記端末間直接通信制御部は、前記無線基地局装置との通信可能圏外に在る場合に、直近の所定期間内に前記無線基地局装置から通知された前記端末共用リソースを用いた前記直接通信の制御を行うことを特徴とする。
【００１４】
（７）本発明に係る無線通信システムは、上記（１）の無線基地局装置と、上記（４）の無線端末装置とを有する。
【００１５】
（８）本発明に係る端末間直接通信制御方法は、無線基地局装置を介して無線端末装置間で通信可能な無線通信システムの前記無線基地局装置における端末間直接通信制御方法であって、前記無線基地局装置が、前記無線基地局装置で使用可能な無線リソースの中から、前記無線端末装置間の直接通信に使用される端末間直接通信用無線リソースを割り当てる第１のステップと、前記無線基地局装置が、前記割り当てられた前記端末間直接通信用無線リソースの情報を送信する第２のステップと、を含み、前記第１のステップにおいて、複数の前記無線端末装置で共用される前記端末間直接通信用無線リソースである端末共用リソースの割り当てを行い、前記直接通信のサービス要求条件に基づいて前記無線端末装置に個別で使用される前記端末間直接通信用無線リソースである端末個別リソースの割り当てを行う、ことを特徴とする。
【００１６】
（９）本発明に係る端末間直接通信制御方法は、無線基地局装置を介して無線端末装置間で通信可能な無線通信システムの前記無線端末装置における端末間直接通信制御方法であって、前記無線端末装置が、前記無線基地局装置で使用可能な無線リソースの中から割り当てられた前記無線端末装置間の直接通信に使用される端末間直接通信用無線リソースの情報を受信する第１のステップと、前記無線端末装置が、前記受信された前記端末間直接通信用無線リソースの情報で示される端末間直接通信用無線リソースを用いた前記直接通信の制御を行う第２のステップと、を含み、前記第２のステップにおいて、複数の前記無線端末装置で共用される前記端末間直接通信用無線リソースである端末共用リソース、又は、前記直接通信のサービス要求条件に基づいて割り当てられた前記無線端末装置に個別で使用される前記端末間直接通信用無線リソースである端末個別リソースのうち、自己の前記直接通信の条件に対応する前記端末間直接通信用無線リソースを用いた前記直接通信の制御を行う、ことを特徴とする。
【００１７】
（１０）本発明に係るコンピュータプログラムは、無線基地局装置を介して無線端末装置間で通信可能な無線通信システムの前記無線基地局装置のコンピュータに、前記無線基地局装置で使用可能な無線リソースの中から、前記無線端末装置間の直接通信に使用される端末間直接通信用無線リソースを割り当てる第１のステップと、前記割り当てられた前記端末間直接通信用無線リソースの情報を送信する第２のステップと、を実行させるためのコンピュータプログラムであり、前記第１のステップにおいて、複数の前記無線端末装置で共用される前記端末間直接通信用無線リソースである端末共用リソースの割り当てを行い、前記直接通信のサービス要求条件に基づいて前記無線端末装置に個別で使用される前記端末間直接通信用無線リソースである端末個別リソースの割り当てを行う、ことを特徴とする。
【００１８】
（１１）本発明に係るコンピュータプログラムは、無線基地局装置を介して無線端末装置間で通信可能な無線通信システムの前記無線端末装置のコンピュータに、前記無線基地局装置で使用可能な無線リソースの中から割り当てられた前記無線端末装置間の直接通信に使用される端末間直接通信用無線リソースの情報を受信する第１のステップと、前記受信された前記端末間直接通信用無線リソースの情報で示される端末間直接通信用無線リソースを用いた前記直接通信の制御を行う第２のステップと、を実行させるためのコンピュータプログラムであり、前記第２のステップにおいて、複数の前記無線端末装置で共用される前記端末間直接通信用無線リソースである端末共用リソース、又は、前記直接通信のサービス要求条件に基づいて割り当てられた前記無線端末装置に個別で使用される前記端末間直接通信用無線リソースである端末個別リソースのうち、自己の前記直接通信の条件に対応する前記端末間直接通信用無線リソースを用いた前記直接通信の制御を行う、ことを特徴とする。
【発明の効果】
【００１９】
本発明によれば、端末間直接通信で使用される無線リソースの割当の効率向上と、端末間直接通信で使用される無線リソースの設定におけるシグナリングの効率向上との効果が得られる。
【図面の簡単な説明】
【００２０】
【図１】本発明の一実施形態に係る無線通信システムの構成を説明するための概略構成図である。
【図２】本発明の一実施形態に係る基地局１の構成を示すブロック図である。
【図３】本発明の一実施形態に係る端末２の構成を示すブロック図である。
【図４】本発明の一実施形態に係る無線通信システムの端末間直接通信制御処理の全体的な流れを示すシーケンスチャートである。
【図５】本発明の一実施形態に係る基地局１の端末間直接通信制御処理の流れを示すフローチャートである。
【図６】本発明の一実施形態に係る端末２の端末間直接通信制御処理の流れを示すフローチャートである。
【図７】本発明の一実施形態に係る端末２の端末間直接通信制御処理の流れを示すフローチャートである。
【発明を実施するための形態】
【００２１】
以下、図面を参照し、本発明の実施形態について説明する。
図１は、本発明の一実施形態に係る無線通信システムの構成を説明するための概略構成図である。本実施形態に係る無線通信システムは、無線基地局装置（以下、基地局と称する）を介して無線端末装置（以下、端末と称する）間で通信可能である。本実施形態に係る無線通信システムとしては、例えば、セルラーシステムが挙げられる。
【００２２】
図１には、基地局１と、該基地局１との通信可能圏内で端末間直接通信を行う送信側の端末２−１ｓおよび受信側の端末２−１ｒが示されている。また、基地局１との通信可能圏外で端末間直接通信を行う送信側の端末２−２ｓおよび受信側の端末２−２ｒが示されている。以下、各端末２−１ｓ，２−１ｒ，２−２ｓ，２−２ｒを特に区別しないときは「端末２」と称する。
【００２３】
図２は、本実施形態に係る基地局１の構成を示すブロック図である。図３は、本実施形態に係る端末２の構成を示すブロック図である。図２及び図３には、端末間直接通信に係る構成のみを示している。
【００２４】
図２において、基地局１は、無線部１０と端末間直接通信制御部１１と無線リソース情報記憶部１２と個別割当判定条件記憶部１３を有する。無線部１０は、自己の通信可能圏内に在る端末２と無線通信を行う。
【００２５】
端末間直接通信制御部１１は、端末間直接通信の制御を行う。端末間直接通信制御部１１は、自己の基地局１で使用可能な無線リソースの中から、端末間直接通信に使用される端末間直接通信用無線リソースを割り当てる。無線部１０は、端末間直接通信制御部１１によって割り当てられた端末間直接通信用無線リソースの情報を送信する。
【００２６】
無線リソース情報記憶部１２は、端末間直接通信用無線リソースの情報を格納する。個別割当判定条件記憶部１３は、個別割当判定条件の情報を格納する。
【００２７】
図３において、端末２は、無線部２０と端末間直接通信制御部２１と共用リソース情報記憶部２２と個別割当リソース情報記憶部２３を有する。無線部２０は、基地局１と無線通信を行う。また、無線部２０は、端末間直接通信の相手と無線通信を行う。
【００２８】
端末間直接通信制御部２１は、無線部２０によって受信された端末間直接通信用無線リソースの情報で示される端末間直接通信用無線リソースを用いた端末間直接通信の制御を行う。共用リソース情報記憶部２２は、複数の端末２で共用される端末間直接通信用無線リソースである端末共用リソースの情報を格納する。個別割当リソース情報記憶部２３は、端末２に個別で使用される端末間直接通信用無線リソースである端末個別リソースのうち、自己の端末２に割り当てられた端末個別リソースの情報を格納する。
【００２９】
次に、本実施形態に係る端末間直接通信用無線リソースの割当方法を説明する。本実施形態では、端末間直接通信用無線リソースとして、端末共用リソースと端末個別リソースを使用する。端末共用リソースは、複数の端末２で共用される端末間直接通信用無線リソースである。端末個別リソースは、端末２に個別で使用される端末間直接通信用無線リソースである。
【００３０】
まず、端末共用リソースの割当方法を説明する。端末間直接通信制御部１１は、複数の端末２で共用される端末間直接通信用無線リソースである端末共用リソースの割り当てを行う。この端末共用リソースの割当方法として、自己の基地局１で使用可能な無線リソース領域のうち特定の無線リソース領域の中から、所定の無線リソース量に対応する無線リソースを端末共用リソースに割り当てる。該所定の無線リソース量として、通信サービスに対する所定の要求条件を満たすために必要な無線リソース量とする。端末共用リソースの領域は、基地局１で使用可能な無線リソース領域のうち、周波数方向の領域のみ、時間方向の領域のみ、又は、周波数方向と時間方向の両方の領域、に設定可能である。
【００３１】
無線部１０は、端末間直接通信制御部１１によって割り当てられた端末共用リソースを特定する情報（端末共用リソース情報）を、ブロードキャスト信号で送信する。これにより、自己の通信可能圏内に在る全端末２に対して、ブロードキャスト信号で端末共用リソース情報が通知される。端末共用リソース情報として、基地局１で使用可能な無線リソース領域における端末共用リソースの位置を示す情報が挙げられる。又は、端末共用リソース情報として、基地局１で使用可能な無線リソース領域のうち、任意に使用可能な端末共用リソースの位置を示す情報が挙げられる。
【００３２】
次に、端末個別リソースの割当方法を説明する。端末間直接通信制御部１１は、端末間直接通信のサービス要求条件に基づいて、端末２に個別で使用される端末間直接通信用無線リソースである端末個別リソースの割り当てを行う。端末個別リソースの領域は、基地局１で使用可能な無線リソース領域のうち、周波数方向の領域のみ、時間方向の領域のみ、又は、周波数方向と時間方向の両方の領域、に設定可能である。また、基地局１と端末２とが非同期の場合も想定し、端末個別リソースに割り当てられる無線リソース領域が異なるサブフレーム（subframe）間にまたがることを許容する。
【００３３】
無線部１０は、端末間直接通信制御部１１によって特定の端末２に対して割り当てられた端末個別リソースを特定する情報（端末個別リソース情報）を、当該特定の端末２へ送信する。これにより、特定の端末２に対して端末個別リソース情報が通知される。端末個別リソース情報として、基地局１で使用可能な無線リソース領域における端末個別リソースの位置を示す情報が挙げられる。又は、端末個別リソース情報として、基地局１で使用可能な無線リソース領域のうち、任意に使用可能な端末個別リソースの位置を示す情報が挙げられる。
【００３４】
次に、端末間直接通信のサービス要求条件の例１〜７を以下に挙げる。
（例１）ＱＣＩ（QoS Class Indicator）を任意に端末間直接通信用に拡張したもの。例えば、Public Safety用通話用途のＱＣＩクラスを追加することが挙げられる。ＱＣＩについては非特許文献２に記載されている。
（例２）端末間直接通信の相手となり得る端末を発見するまでに許容する遅延時間（discovery遅延量）。
（例３）許容するデータ通信遅延量。
（例４）通信開始から通信終了までの許容する全体遅延量。
（例５）所要データレート。
（例６）端末間直接通信を行う端末２が送信するデータ量。
（例７）端末間直接通信のサービスのタイプ。
【００３５】
次に、図４を参照して、本実施形態に係る無線通信システムの全体的な動作を説明する。図４は、本実施形態に係る無線通信システムの端末間直接通信制御処理の全体的な流れを示すシーケンスチャートである。
【００３６】
（ステップＳ１）端末２は、端末間直接通信（Ｄ２Ｄ通信；Device-to-device communication）の開始リクエストを基地局１へ送信する。このとき、端末２は、Ｄ２Ｄ通信の開始リクエストと共に、Ｄ２Ｄ通信のサービス要求条件を基地局１へ送信する。
【００３７】
（ステップＳ２）基地局１は、端末２からＤ２Ｄ通信の開始リクエストと共にＤ２Ｄ通信のサービス要求条件を受信すると、個別割当判定処理を行う。
【００３８】
ここで、基地局１による個別割当判定処理を説明する。基地局１は、個別割当判定条件記憶部１３に格納されている個別割当判定条件の情報に基づいて、端末２から受信されたサービス要求条件が個別割当判定条件を満足するか否かを判定する。個別割当判定条件の情報は、個別割当判定条件を示す情報である。端末２から受信されたサービス要求条件が、個別割当判定条件の情報で示される個別割当判定条件を満足する場合に、端末２から受信されたサービス要求条件が個別割当判定条件を満足すると判定される。一方、端末２から受信されたサービス要求条件が、個別割当判定条件の情報で示される個別割当判定条件を満足しない場合に、端末２から受信されたサービス要求条件が個別割当判定条件を満足しないと判定される。
【００３９】
（ステップＳ３）基地局１は、Ｄ２Ｄ通信の開始リクエスト応答を端末２へ返信する。Ｄ２Ｄ通信の開始リクエスト応答は、Ｄ２Ｄ通信の許可（ＡＣＫ）又は不許可（ＮＡＣＫ）である。また、基地局１は、ステップＳ２の個別割当判定の結果に基づいて、Ｄ２Ｄ通信の開始リクエスト応答と共に端末個別リソース情報を端末２へ送信する。端末２は、基地局１から受信されたＤ２Ｄ通信の開始リクエスト応答、端末個別リソース情報に基づいて、Ｄ２Ｄ通信の制御を行う。
【００４０】
ここで、Ｄ２Ｄ通信の開始リクエスト応答と共に端末個別リソース情報を端末２へ送信する方法を説明する。基地局１は、ステップＳ２の個別割当判定の結果、端末２から受信されたサービス要求条件が個別割当判定条件を満足する場合に、当該端末２に対して端末個別リソースの割当を行う。この場合、基地局１は、Ｄ２Ｄ通信の開始リクエスト応答と共に、端末個別リソース情報を当該端末２へ送信する。
【００４１】
一方、基地局１は、ステップＳ２の個別割当判定の結果、端末２から受信されたサービス要求条件が個別割当判定条件を満足しない場合には、当該端末２に対して端末個別リソースの割当を行わない。この場合、基地局１は、Ｄ２Ｄ通信の開始リクエスト応答のみを当該端末２へ送信し、端末個別リソース情報を当該端末２へ送信しない。
【００４２】
次に、図５を参照して、本実施形態に係る基地局１の動作を説明する。図５は、本実施形態に係る基地局１の端末間直接通信制御処理の流れを示すフローチャートである。
【００４３】
（ステップＳ１１）基地局１は、ブロードキャスト信号により端末共用リソース情報を送信する。端末共用リソース情報は、端末共用リソースの位置を示す。
【００４４】
（ステップＳ１２）基地局１は、端末２からＤ２Ｄ通信の開始リクエストと共にサービス要求条件を受信したか否かを判断する。この結果、受信した場合にはステップＳ１３に進み、受信していない場合にはステップＳ１１に戻る。
【００４５】
（ステップＳ１３）基地局１は、端末２から受信されたサービス要求条件が個別割当判定条件を満足するか否かを判断する。この結果、満足する場合にはステップＳ１４に進み、満足しない場合には図５の処理を終了する。
【００４６】
（ステップＳ１４）基地局１は、端末個別リソースの割当の結果の端末個別リソース情報を、Ｄ２Ｄ通信の開始リクエスト応答と共に端末２へ返信する。
【００４７】
次に、図６、図７を参照して、本実施形態に係る端末２の動作を説明する。図６、図７は、本実施形態に係る端末２の端末間直接通信制御処理の流れを示すフローチャートである。
【００４８】
（ステップＳ２１）端末２は、自己が基地局１の通信可能圏内に在るか否かを判断する。この結果、通信可能圏内に在る場合にはステップＳ２２に進み、通信可能圏外に在る場合には図７のステップＳ２７に進む。
【００４９】
（ステップＳ２２）端末２は、Ｄ２Ｄ通信の開始リクエストと共に、Ｄ２Ｄ通信のサービス要求条件を基地局１へ送信する。
【００５０】
（ステップＳ２３）端末２は、基地局１から、Ｄ２Ｄ通信の開始リクエスト応答を受信する。
【００５１】
（ステップＳ２４）端末２は、受信したＤ２Ｄ通信の開始リクエスト応答に基づいて、端末個別リソースが割り当てられたか否かを判断する。この判断の結果、端末個別リソースが割り当てられた場合にはステップＳ２５に進み、端末個別リソースが割り当てられなかった場合にはステップＳ２６に進む。
【００５２】
なお、Ｄ２Ｄ通信の開始リクエスト応答（ＡＣＫ／ＮＡＣＫ）と共に、端末個別リソース情報が端末２へ送られてもよい。又は、Ｄ２Ｄ通信の開始リクエスト応答のメッセージ（Ｄ２Ｄ通信開始リクエスト応答メッセージ）が、Ｄ２Ｄ通信の開始リクエストに対する応答信号（Ａｃｋ／Ｎａｃｋ）と端末個別リソース情報を有するようにしてもよい。端末個別リソース情報として、端末個別リソースの割当の有無を示す情報と、該割当有りの場合の端末個別リソースの位置を示す情報とが挙げられる。Ｄ２Ｄ通信開始リクエスト応答メッセージの一構成例を以下に示す。
【００５３】
（Ｄ２Ｄ通信開始リクエスト応答メッセージの構成例）
・Ａｃｋ／Ｎａｃｋの情報として１ｂｉｔ。
・端末個別リソース（端末個別リソースの割当の有）／端末共用リソース（端末個別リソースの割当の無）の情報として１ｂｉｔ。
・端末個別リソースの場合に、端末個別リソースの位置情報として所要ｂｉｔ。
【００５４】
（ステップＳ２５）端末２は、基地局１から受信された端末個別リソース情報により基地局１から端末個別に通知された端末個別リソース位置を使用し、Ｄ２Ｄ通信の制御を行う。
【００５５】
（ステップＳ２６）端末２は、基地局１から受信された端末共用リソース情報により基地局１からブロードキャストで通知された端末共用リソース位置を使用し、Ｄ２Ｄ通信の制御を行う。端末２は、基地局１から受信された端末共用リソース情報を共用リソース情報記憶部２２に格納している。
【００５６】
（ステップＳ２７）端末２は、自己が基地局１の通信可能圏外に在る場合、直近Ｔ秒以内に端末共用リソース情報により共用リソース位置を受信したかを判断する。該Ｔ秒は予め設定される。端末２は、基地局１から受信された端末共用リソース情報を受信時刻と共に共用リソース情報記憶部２２に格納している。端末２は、共用リソース情報記憶部２２に格納されている端末共用リソース情報の受信時刻に基づいて、当該格納されている端末共用リソース情報が直近Ｔ秒以内に受信されたか否かを判断する。この判断の結果、直近Ｔ秒以内に受信されたものである場合にはステップＳ２８に進み、直近Ｔ秒以内に受信されたものでない場合にはステップＳ２９に進む。
【００５７】
（ステップＳ２８）端末２は、共用リソース情報記憶部２２に格納されている最新の端末共用リソース情報で示される端末共用リソース位置を使用し、Ｄ２Ｄ通信の制御を行う。
【００５８】
（ステップＳ２９）端末２は、予め規定された無線リソース位置を使用し、Ｄ２Ｄ通信の制御を行う。
【００５９】
上述した実施形態によれば、準静的共用リソース割当方法と動的端末個別リソース割当方法の両方を柔軟に利用することができる。これにより、Ｄ２Ｄ通信で使用される無線リソースの割当の効率向上と、Ｄ２Ｄ通信で使用される無線リソースの設定におけるシグナリングの効率向上との効果が得られる。
【００６０】
以上、本発明の実施形態について図面を参照して詳述してきたが、具体的な構成はこの実施形態に限られるものではなく、本発明の要旨を逸脱しない範囲の設計変更等も含まれる。
【００６１】
例えば、基地局１は、端末間直接通信用無線リソースの使用目的に応じて、個別割当判定を行うようにしてもよい。以下に、端末間直接通信用無線リソースの使用目的に応じた個別割当判定の例１〜３を示す。
【００６２】
（例１）Communication機能用の端末間直接通信用無線リソースの場合。この場合、端末２から受信されたサービス要求条件に基づいて、当該端末２に対して端末個別リソースの割当を行うか否かを判定する。基地局１は、ブロードキャストシグナリング又はRRCシグナリングを用いて、端末個別リソース情報を端末２へ送信する。
【００６３】
（例２）端末２がActive端末であり且つDiscovery機能用の端末間直接通信用無線リソースの場合。この場合、端末２から受信されたサービス要求条件に基づいて、当該端末２に対して端末個別リソースの割当を行うか否かを判定する。基地局１は、ブロードキャストシグナリング又はRRCシグナリングを用いて、端末個別リソース情報を端末２へ送信する。
【００６４】
（例３）Idle端末とActive端末の両方を割当対象にし、且つ、Discovery機能用の端末間直接通信用無線リソースの場合。この場合、端末２から受信されたサービス要求条件に基づいて、端末個別リソースの割当を行う。但し、該端末個別リソース情報は、割り当てられた端末個別リソースの領域が複数のサブフレームにまたがることも含めて指定する情報とする。基地局１は、ブロードキャストシグナリングを用いて、端末個別リソース情報を端末２へ送信する。
【００６５】
また、本発明は、セルラーシステム等の無線通信システムに適用可能である。例えば、ＬＴＥ規格の無線通信システム（ＬＴＥシステム）、ＬＴＥアドバンスト規格の無線通信システム（ＬＴＥアドバンストシステム）などに本発明を適用することが挙げられる。
【００６６】
また、上述した基地局１または端末２を実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
【００６７】
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６９】
１…基地局（無線基地局装置）、２…端末（無線端末装置）、１０…無線部、１１…端末間直接通信制御部、１２…無線リソース情報記憶部、１３…個別割当判定条件記憶部、２０…無線部、２１…端末間直接通信制御部、２２…共用リソース情報記憶部、２３…個別割当リソース情報記憶部
【図１】
2015035711.tif 000003
【図２】
2015035711.tif 000004
【図３】
2015035711.tif 000005
【図４】
2015035711.tif 000006
【図５】
2015035711.tif 000007
【図６】
2015035711.tif 000008
【図７】
2015035711.tif 000009